(57)【要約】【課題】リウマチや糖尿病等の患者にとっても使い勝手が良く、廃棄に関しての安全性が十分に配慮された注射器の廃棄容器を提供する。【解決手段】容器本体１と、容器本体１に嵌着される蓋２とを、備え、蓋２は、容器本体１に離脱不可能に嵌着されると共に注射器を投入するための投入口を有する蓋本体８と、蓋本体８の投入口を開閉自在に施蓋する副蓋４とを、有し、投入口を副蓋４により塞いだ閉蓋状態で、副蓋４を開閉不可の封止状態に切換えるロックボタン５を設けている。【選択図】図１
2015213694.tif 000002
【特許請求の範囲】
【請求項１】
容器本体（１）と、該容器本体（１）に嵌着される蓋（２）とを、備え、該蓋（２）は、上記容器本体（１）に離脱不可能に嵌着されると共に注射器（６）を投入するための投入口（３）を有する蓋本体（８）と、該蓋本体（８）の投入口（３）を開閉自在に施蓋する副蓋（４）とを、有し、
上記投入口（３）を上記副蓋（４）により塞いだ閉蓋状態で、該副蓋（４）を開閉不可の封止状態に切換えるロックボタン（５）を設けたことを特徴とする注射器の廃棄容器。
【請求項２】
平面視に於て、上記投入口（３）の形状が、上記注射器（６）の鍔部（６Ｂ）が差し込まれて取付けられる指力不足補強用のフランジ部（９）に対応するように形成されている請求項１記載の注射器の廃棄容器。
【請求項３】
上記投入口（３）は、その下端縁部（３Ａ）から内向きに突出するフラップ部（７）（７）を有し、平面視に於て、上記フランジ部（９）の形状よりも小さな通過窓部が上記フラップ部（７）（７）によって形成され、上記容器本体（１）に投入された注射器（６）の飛び出しを防止するよう構成されている請求項１又は２記載の注射器の廃棄容器。
【発明の詳細な説明】
【技術分野】
【０００１】
本発明は、注射器の廃棄容器に関する。
【背景技術】
【０００２】
一般的に、患者への注射は、医療機関で医師によって行われることがほとんどであるが、リウマチや糖尿病の治療を受ける患者は、医療機関から治療薬の入った注射器を持ち帰り、自宅で治療薬を自己注射することがあった。患者が自己注射した後の使用済みの注射器は、医療廃棄物として廃棄する必要があり、医療機関からは治療薬の入った注射器と共にそれ専用の廃棄容器が患者に配布され、患者は、自宅で使用済みの注射器を廃棄容器に保管して、廃棄容器ごと医療機関に持参して廃棄していた。従来、使用済みの注射器を収納するための廃棄容器として、投入口を開閉できるように蓋を設けたものが提案されている（特許文献１参照）。
【先行技術文献】
【特許文献】
【０００３】
【特許文献１】特開平０５−４２１８４号公報
【発明の概要】
【発明が解決しようとする課題】
【０００４】
しかし、特許文献１に記載された注射器の廃棄容器は、蓋のツマミが小さく、特にリウマチの患者にとっては、痛みや腫れによって手指に力が入らず小さなツマミを握るのが困難である等の理由により、使用しずらいという欠点があった。例えば、リウマチの患者が廃棄容器の蓋を完全に閉めることができないと、注射器の廃棄容器を医療機関に持参する際、廃棄容器を落下させたような場合に、不用意に蓋が開いて注射器が飛び出すような事態が発生する虞れがあり、衛生管理及び安全保持の配慮が不十分であった。
【０００５】
そこで、本発明は、リウマチや糖尿病等の患者にとっても使い勝手が良く、廃棄に関しての安全性が十分に配慮された注射器の廃棄容器を提供することを目的とする。
【課題を解決するための手段】
【０００６】
本発明に係る注射器の廃棄容器は、容器本体と、該容器本体に嵌着される蓋とを、備え、該蓋は、上記容器本体に離脱不可能に嵌着されると共に注射器を投入するための投入口を有する蓋本体と、該蓋本体の投入口を開閉自在に施蓋する副蓋とを、有し、上記投入口を上記副蓋により塞いだ閉蓋状態で、該副蓋を開閉不可の封止状態に切換えるロックボタンを設けたものである。
【０００７】
また、平面視に於て、上記投入口の形状が、上記注射器の鍔部が差し込まれて取付けられる指力不足補強用のフランジ部に対応するように形成されているものである。
また、上記投入口は、その下端縁部から内向きに突出するフラップ部を有し、平面視に於て、上記フランジ部の形状よりも小さな通過窓部が上記フラップ部によって形成され、上記容器本体に投入された注射器の飛び出しを防止するよう構成されているものである。
【発明の効果】
【０００８】
本発明の注射器の廃棄容器によれば、廃棄する際に、副蓋を閉めてロックボタンを押すことで、副蓋を開閉不可の封止状態に簡単に切換えて、安全に持ち運ぶことができる。手指に力の入らないリウマチの患者でもロックボタンを容易に押すことができ、封止状態に確実に切換えて副蓋が２度と開かないようにロックすることができる。
【図面の簡単な説明】
【０００９】
【図１】本発明の実施の一形態を示す閉蓋状態の斜視図である。
【図２】本発明の実施の一形態を示す閉蓋状態の平面図である。
【図３】図２のＡ−Ａ断面図である。
【図４】閉蓋状態の要部断面図であり、（Ａ）はロックボタンを押す前の要部断面図であり、（Ｂ）はロックボタンを指で押した後の封止状態の要部断面図である。
【図５】開蓋状態の平面図である。
【図６】開蓋状態で投入口に注射器を投入する際の断面図である。
【図７】注射器を示す斜視図である。
【図８】投入口を示す平面図であり、（Ａ）は図５に示す実施形態の平面図であり、（Ｂ）は他の実施形態の平面図であり、（Ｃ）は別の実施形態の平面図であり、（Ｄ）はさらに別の実施形態の平面図である。
【発明を実施するための形態】
【００１０】
以下、実施の形態を示す図面に基づき本発明を詳説する。
図１と図２に示すように、本発明の注射器の廃棄容器は、合成樹脂から成り、容器本体１と、容器本体１に嵌着される蓋２とを、備えている。
容器本体１及び蓋２は、平面視で角の丸い四角形状に形成されている。容器本体１の上端開口部の周縁部には、外方に向け突出する凸部１０が全周にわたって形成され、かつ、容器本体１の上下方向中間部から下端部には、次第に縮径するテーパー状の外周壁部１２を有している。容器本体１は、輸送時や保管時には、スタッキング（積み重ね）が可能である。凸部１０の４つの角部１１は円弧状に形成されている。
【００１１】
蓋２は、平面視中央位置に投入口３を有する蓋本体８と、蓋本体８に揺動自在に取着され投入口３を開閉自在に施蓋する副蓋４とを、有している。
副蓋４は、蓋本体８に枢着されていても良く、あるいは、薄肉状ヒンジ部を介して連設されていても良い。副蓋４は、揺動時に自由端となる一端縁部に掴持用舌片２４が突出状に設けられ、舌片２４の幅寸法１は、副蓋４全体の幅寸法Ｗ０の３０％〜５０％の大きさに設定されている（図２参照）。この構成により、リウマチ患者でも大きめサイズの舌片２４を指で容易に掴むことができ、副蓋４が開閉し易いという利点がある。
蓋本体８は、４箇所の角部が切り欠かれて切欠部２０が形成され、この切欠部２０の各々に凸部１０の角部１１を差込可能な孔部２１を有している。蓋本体８の４つの孔部２１に容器本体１の角部１１が嵌込まれ、蓋２と容器本体１が離脱不可能に嵌着されている。
【００１２】
図３に示すように、副蓋４には、底面に差込孔２３を有する凹部２２が形成され、凹部２２にロックボタン５が上下方向スライド自在に取着されている。
ロックボタン５は、円盤状のヘッド２５と、先端に円錐台状かえし部２６ａを有する差込ピン２６とを、一体に有し、差込ピン２６が差込孔２３に上方から遊嵌状に差込まれている。差込ピン２６は、弾性変形可能とし、円錐台状かえし部２６ａが差込孔２３を通過する際は、差込ピン２６はラジアル内方向に弾性変形して縮径し、円錐台状かえし部２６ａが差込孔２３を通過した後は、差込ピン２６が弾発的に復元して、円錐台状かえし部２６ａが差込孔２３の下端縁に引っ掛かる。つまり、差込ピン２６が差込孔２３に挿入されると、円錐台状かえし部２６ａによって抜止めされ、差込ピン２６を差込孔２３から抜くことは不可能となる。
また、蓋本体８には、ロックボタン５の差込ピン２６に対応してテーパー状係止孔２８が形成されている。図４（Ｂ）に示すように、ヘッド２５を上方から指で押してロックボタン５を凹部２２に深く押し込み、差込ピン２６を係止孔２８に挿入する。円錐台状かえし部２６ａが係止孔２８を通過する際は、差込ピン２６はラジアル内方向に弾性変形して縮径し、円錐台状かえし部２６ａが係止孔２８を通過した後は、差込ピン２６が弾発的に復元して、円錐台状かえし部２６ａが係止孔２８の下端縁に引っ掛かる。従って、差込ピン２６が係止孔２８に挿入されると、円錐台状かえし部２６ａが係止孔２８の下端縁に引っ掛って抜止めをし、差込ピン２６を係止孔２８から抜くことは不可能となる。
つまり、図４（Ａ）に示すように、ロックボタン５を押す前は、図２から図５のように、副蓋４を揺動させて投入口３を自由に開閉でき、投入口３を副蓋４により塞いだ閉蓋状態で、図４（Ｂ）に示すように、ロックボタン５を指で深く押し込むことで、差込ピン２６が係止孔２８に挿入され、副蓋４が２度と開かないように開閉不可の封止状態に切換える。
【００１３】
図５と図６に示すように、投入口３は、特定の１種類の注射器６に対応する形状に形成されている。
図７に示すように、注射器６は、リウマチの治療薬が充填されたものであって、一端に注射針を有し、かつ、他端に鍔部６Ｂが突設されたシリンジ部６Ａと、シリンジ部６Ａの他端側から内挿されるプランジャ６Ｃとを、備え、鍔部６Ｂに指力不足補強用のフランジ部９が差し込まれて取付けられている。フランジ部９は、患者が自ら注射をするときに、注射器６の保持を容易とするものであり、手指に力が入らないリウマチ患者でも、安全かつ確実に自己注射が行えるように付設されているものである。即ち、平面視に於て、投入口３の形状が、リウマチ治療薬用の注射器６に付設される指力不足補強用のフランジ部９に対応して形成されている。
【００１４】
図５と図６に示すように、投入口３は、その下端縁部３Ａから内向きに突出するフラップ部７，７を有している。投入口３の下端縁部３Ａには、平面視に於て、フランジ部９の形状よりも小さな通過窓部がフラップ部７，７によって形成されている。つまり、投入口３は、フラップ部７，７により、注射器６が下方からは通過できないように形成され、容器本体１に投入された注射器６の飛び出しを防止している。
図６と図８（Ａ）に示すように、フラップ部７，７は、投入口３の下端縁部３Ａの左右から斜め下方向に突出しており、弾性変形可能である。左右のフラップ部７，７の一方が比較的短く、他方が比較的長く形成されている。図６のように投入口３に上方から注射器６を投入する際には、フランジ部９によりフラップ部７を押し開けて、注射器６を容器本体１内部へ移動させる。なお、図８（Ｂ）に示すように、投入口３の前後左右の４箇所にフラップ部７，７，７，７を設けても良い。また、図８（Ｃ）に示すように、フラップ部７，７が揺動し易い舌片状であって良く、左右の２箇所から斜め下方向又は水平方向に向けて突設するも好ましい。なお、図８（Ｄ）に示すように、舌片状のフラップ部７，７，７，７を投入口３の前後左右の４箇所に設けても良い。
【００１５】
上述した本発明の注射器の廃棄容器の使用方法（作用）について説明する。
図５に示すように、舌片２４を指で掴んで副蓋４を開け、図６のように投入口３に使用済みの注射器６を投入する。投入口３は、リウマチ治療薬用の注射器６に対応する平面形状に形成されている為、患者が誤ってリウマチ治療薬用注射器６以外の注射器を投入することのないよう注意を喚起する。投入口３から投入された使用済みの注射器６は、そのまま落下して容器本体１に収容される。投入口３にはフラップ部７，７が設けてある為、注射器６が飛び出すのを防止し、なおかつ、注射器６に僅かに残存する薬液や付着した血液等が外部に飛び出るのを防止する。
【００１６】
次に、図２に示すように、副蓋４を閉め、図４（Ｂ）のように指でロックボタン５を指で押し込むことで、副蓋４を開閉不可の封止状態に切換える。こうして、副蓋４が２度と開かないようにロックされ、患者が持ち運びする際に、廃棄容器を落下させたような場合でも、不用意に副蓋４が開いて注射器６が飛び出すようなことがなく、注射器６を廃棄容器と共に安全に廃棄できる。
【００１７】
なお、本発明は、設計変更可能であって、例えば、容器本体１及び蓋２の形状は自由に変更しても良い。また、図示省略するが、ロックボタン５を指で押すことができない程度の小ささに設定し、ピンや棒等の押圧部材を用いてロックボタン５を押すように構成するも好ましい。このようにすることで、副蓋４の開閉操作中にロックボタン５を不用意に押してしまうことが無くなり、副蓋４が開かなくなってしまうのを防止できる。
【００１８】
以上のように、本発明に係る注射器の廃棄容器は、容器本体１と、容器本体１に嵌着される蓋２とを、備え、蓋２は、容器本体１に離脱不可能に嵌着されると共に注射器６を投入するための投入口３を有する蓋本体８と、蓋本体８の投入口３を開閉自在に施蓋する副蓋４とを、有し、投入口３を副蓋４により塞いだ閉蓋状態で、副蓋４を開閉不可の封止状態に切換えるロックボタン５を設けたので、廃棄する際に、副蓋４を閉めてロックボタン５を押すことで、副蓋４を開閉不可の封止状態に簡単に切換えて、安全に持ち運ぶことができる。手指に力の入らないリウマチの患者でもロックボタン５を容易に押すことができ、封止状態に確実に切換えて副蓋４が２度と開かないようにロックすることができる。
【００１９】
また、平面視に於て、投入口３の形状が、注射器６の鍔部６Ｂが差し込まれて取付けられる指力不足補強用のフランジ部９に対応するように形成されているので、特定の注射器６のみを投入口３に投入するように患者に注意を喚起することができる。特に、患者が誤ってリウマチ治療薬用注射器６以外の注射器を投入口３に投入することを防止でき、異なる種類の注射器が混在しないので、廃棄物処理がし易い。
【００２０】
また、投入口３は、その下端縁部３Ａから内向きに突出するフラップ部７，７を有し、平面視に於て、フランジ部９の形状よりも小さな通過窓部がフラップ部７，７によって形成され、容器本体１に投入された注射器６の飛び出しを防止するよう構成されているので、患者が持ち運びする際に、廃棄容器を落下させたような場合でも、注射器６が飛び出すのを防止でき、かつ、注射器６に僅かに残存する薬液や付着した血液等が外部に飛び出るのを防止できる。
【符号の説明】
【００２１】
１  容器本体
２  蓋
３  投入口
３Ａ  下端縁部
４  副蓋
５  ロックボタン
６  注射器
６Ｂ  鍔部
７  フラップ部
８  蓋本体
９  フランジ部
【図１】
2015213694.tif 000003
【図２】
2015213694.tif 000004
【図３】
2015213694.tif 000005
【図４】
2015213694.tif 000006
【図５】
2015213694.tif 000007
【図６】
2015213694.tif 000008
【図７】
2015213694.tif 000009
【図８】
2015213694.tif 000010